(57)【要約】  複数回重複して工事が行われた道路の路面下各層の履歴情報を容易に把握することができる工事情報管理装置及び工事情報管理システムであって、工事終了後、使用者が工事情報処理端末１２において当該工事の工事情報を作成し、工事情報管理装置１４に送信する。工事情報管理装置１４では、上記工事情報を受け付け、その工事情報に基づいて工事区間の舗装構成を解析する。また、工事情報管理装置１４は、上記解析した工事情報に基づいて工事対象の道路の履歴情報を重畳的に更新する。その後、工事情報処理端末１２から履歴情報を要求する要求信号が送信されると、工事情報管理装置１４は、更新後の履歴情報を工事情報処理端末１２に送信する。
2010007779.tif 000002
【特許請求の範囲】
【請求項１】
工事情報を受け付ける工事情報受付手段と、
前記工事情報に基づいて舗装構成を解析する舗装構成解析手段と、
舗装構成の履歴情報を取得する履歴情報取得手段と、
前記舗装構成解析手段の解析結果に基づいて前記履歴情報を重畳的に更新する履歴情報更新手段と、
を備えることを特徴とする工事情報管理装置。
【請求項２】
請求項１記載の工事情報管理装置において、前記履歴情報更新手段は、各工事によって舗装構成が不連続となっている地点または区間に関する情報を前記履歴情報を元に更新することを特徴とする工事情報管理装置。
【請求項３】
請求項１または請求項２記載の工事情報管理装置と、
前記履歴情報を特定するための位置情報を取得する位置情報取得手段と、
前記位置情報を前記工事情報管理装置に送信する位置情報送信手段と、
前記工事情報管理装置から前記位置情報により特定された履歴情報を受信する履歴情報受信手段と、を有する工事情報処理端末と、
を備えることを特徴とする工事情報管理システム。
【請求項４】
請求項３記載の工事情報管理システムが、さらに工事区間の近傍に少なくとも１つ設置され、当該工事にかかる工事情報を保持する情報保持手段を備えることを特徴とする工事情報管理システム。
【請求項５】
請求項４記載の工事情報管理システムにおいて、前記工事情報は、前記工事区間を特定する区間情報を含むことを特徴とする工事情報管理システム。
【請求項６】
請求項４または請求項５記載の工事情報管理システムにおいて、前記情報保持手段は、前記情報保持手段の設置位置を表す設置位置情報を格納することを特徴とする工事情報管理システム。
【請求項７】
請求項４から請求項６のいずれか一項記載の工事情報管理システムにおいて、前記工事情報処理端末が、さらに前記情報保持手段から前記工事情報を読み出す工事情報読出手段を有することを特徴とする工事情報管理システム。
【請求項８】
請求項３から請求項７のいずれか一項記載の工事情報管理システムにおいて、前記工事情報管理装置が、さらに前記位置情報により特定した工事区間における過去の前記工事情報が記載された媒体の保管場所に関する保管情報を取得する保管情報取得手段を備え、前記工事情報処理端末が、前記工事情報管理装置から前記保管情報を受信する保管情報受信手段を備えることを特徴とする工事情報管理システム。
【発明の詳細な説明】
【技術分野】
【０００１】
本発明は、道路等の工事履歴等に関する情報を管理するための工事情報管理装置及び工事情報管理システムに関する。
【背景技術】
【０００２】
従来より、ＩＣタグを利用して対象物を管理する技術が提案されている。例えば、下記特許文献１には、ＩＣタグに、管理対象である光ファイバ、地中に埋設された配線配管、道路設備等の管理情報を格納し、管理対象に対する工事を行う際に、ＩＣタグリーダライタにより上記管理情報を読み出して参照するとともに、工事完了時にＩＣタグリーダライタにより上記管理情報を更新する技術が開示されている。【０００３】
【特許文献１】特開２００７−１６３９６２号公報
【発明の開示】
【発明が解決しようとする課題】
【０００４】
しかし、上記従来の技術においては、例えば道路のある特定区間が異なる年度に複数回重複して工事対象となる場合に、複雑に入り組んだ路面下各層の履歴を正確に把握することが困難であるという問題があった。【０００５】
本発明は、上記従来の課題に鑑みなされたものであり、その目的は、複数回重複して工事が行われた道路の路面下各層の履歴情報を容易に把握することができる工事情報管理装置及び工事情報管理システムを提供することにある。
【課題を解決するための手段】
【０００６】
上記目的を達成するために、請求項１記載の工事情報管理装置の発明は、工事情報を受け付ける工事情報受付手段と、前記工事情報に基づいて舗装構成を解析する舗装構成解析手段と、舗装構成の履歴情報を取得する履歴情報取得手段と、前記舗装構成解析手段の解析結果に基づいて前記履歴情報を重畳的に更新する履歴情報更新手段と、を備えることを特徴とする。【０００７】
請求項２記載の発明は、請求項１記載の工事情報管理装置において、前記履歴情報更新手段が、各工事によって舗装構成が不連続となっている地点または区間に関する情報を前記履歴情報を元に更新することを特徴とする。【０００８】
請求項３記載の工事情報管理システムの発明は、請求項１または請求項２記載の工事情報管理装置と、前記履歴情報を特定するための位置情報を取得する位置情報取得手段と、前記位置情報を前記工事情報管理装置に送信する位置情報送信手段と、前記工事情報管理装置から前記位置情報により特定された履歴情報を受信する履歴情報受信手段と、を有する工事情報処理端末と、を備えることを特徴とする。【０００９】
請求項４記載の発明は、請求項３記載の工事情報管理システムが、さらに工事区間の近傍に少なくとも１つ設置され、当該工事にかかる工事情報を保持する情報保持手段を備えることを特徴とする。【００１０】
請求項５記載の発明は、請求項４記載の工事情報管理システムにおいて、前記工事情報が、前記工事区間を特定する区間情報を含むことを特徴とする。【００１１】
請求項６記載の発明は、請求項４または請求項５記載の工事情報管理システムにおいて、前記情報保持手段が、前記情報保持手段の設置位置を表す設置位置情報を格納することを特徴とする。【００１２】
請求項７記載の発明は、請求項４から請求項６のいずれか一項記載の工事情報管理システムにおいて、前記工事情報処理端末が、さらに前記情報保持手段から前記工事情報を読み出す工事情報読出手段を有することを特徴とする。【００１３】
請求項８記載の発明は、請求項３から請求項７のいずれか一項記載の工事情報管理システムにおいて、前記工事情報管理装置が、さらに前記位置情報により特定した工事区間における過去の前記工事情報が記載された媒体の保管場所に関する保管情報を取得する保管情報取得手段を備え、前記工事情報処理端末が、前記工事情報管理装置から前記保管情報を受信する保管情報受信手段を備えることを特徴とする。
【発明の効果】
【００１４】
請求項１及び請求項２の発明によれば、複数回重複して工事が行われた道路の路面下各層の履歴情報を容易に把握することができる。【００１５】
請求項３の発明によれば、複数回重複して工事が行われた道路の履歴情報を容易に取得することができる工事情報管理システムを提供できる。【００１６】
請求項４の発明によれば、工事が行われた現地に工事情報を保管することができる。【００１７】
請求項５の発明によれば、工事情報を保持する情報保持手段の数を減らすことができる。【００１８】
請求項６の発明によれば、工事が行われた現地において容易に設置位置情報を把握することができる。【００１９】
請求項７の発明によれば、工事が行われた現地で工事情報を取得することができる。【００２０】
請求項８の発明によれば、舗装工事の履歴情報が記載された媒体を容易に管理することができる。
【図面の簡単な説明】
【００２１】
【図１】本発明にかかる工事情報管理システムの一実施形態の構成例を示す図である。
【図２】本発明にかかる工事情報処理端末の構成例を示す図である。
【図３】本発明にかかる工事情報管理装置等を構成するコンピュータのハードウェア構成の例を示す図である。
【図４】本発明にかかる工事情報管理装置の一実施形態の機能ブロック図である。
【図５】工事情報の例を示す図である。
【図６】本発明にかかる工事情報管理システムの動作例のフロー図である。
【図７】履歴情報の一部を使用した履歴情報の更新処理の説明図である。
【図８】重畳的に工事が行われた場合の工事区間の説明図である。
【図９】本発明にかかる工事情報管理システムの他の動作例のフロー図である。
【符号の説明】
【００２２】
１０  情報保持装置、１２  工事情報処理端末、１４  工事情報管理装置、１６  リーダライタ部、１８  入力部、２０  通信部、２２  表示部、２４  制御部、２６  ＣＰＵ、２８  ＲＡＭ、３０  ＲＯＭ、３２  通信インターフェース、３４  ハードディスク装置、３６  バス、３８  工事情報受付部、４０  舗装構成解析部、４２  履歴情報取得部、４４  履歴情報更新部、４６  位置情報受付部、４８  履歴情報送信部、５０  保管情報取得部。
【発明を実施するための最良の形態】
【００２３】
以下、本発明を実施するための最良の形態（以下、実施形態という）を、図面に従って説明する。【００２４】
まず、個々の工事情報を収集し、過去に収集した工事情報と合わせて履歴情報を更新する処理について説明する。【００２５】
図１には、本発明にかかる工事情報管理システムの一実施形態の構成例が示される。図１において、工事情報管理システムは、情報保持装置１０、工事情報処理端末１２及び工事情報管理装置１４を含んで構成されている。【００２６】
情報保持装置１０は、ＩＣタグ（ＲＦＩＤ）等により構成され、工事内容や工事区間といった当該工事に関する情報（工事情報）等が書き込まれている。これらのＩＣタグは、道路工事区間の始点及び終点、あるいは工事区間内外の任意の位置に設置することが可能であり、例えば道路に埋設される金属鋲等に設けることができる。また、各情報保持装置１０には、それぞれ識別情報が付されている。この識別情報としては、例えば「ｕｃｏｄｅ（登録商標）」等を使用することができる。さらに、上記情報保持装置１０には、工事情報の内容として、または工事情報とは別に上記金属鋲の設置位置を表す設置位置情報を格納することもできる。この設置位置情報は、緯度・経度情報でもよいし、道路の起点からの距離（距離標）でもよい。あるいは経度・緯度情報や距離標に相当するコードであっても構わない。情報保持装置１０が設置位置情報を持つことにより、距離標として使用することもできる。なお、情報保持装置１０は、道路工事区間の始点または終点、あるいは道路工事区間内の任意の位置に１つ設置し、これに道路工事区間の始終点を合わせて書き込み、工事区間を特定する区間情報として格納しておくことも可能である。【００２７】
工事情報処理端末１２は、情報保持装置１０に上記工事情報及び設置位置情報等を書き込むとともに、これらの情報を情報保持装置１０から読み出すリーダライタとしての機能を有する。また、適宜な通信手段を介して工事情報管理装置１４に工事情報等を送信し、及び道路等の舗装構成に関する履歴情報を工事情報管理装置１４から受信する通信機能も有する。【００２８】
工事情報管理装置１４は、適宜なコンピュータ上で動作し、工事情報処理端末１２から工事情報を受信して工事に関する履歴情報を更新するとともに、工事情報処理端末１２からの要求に応じて履歴情報を送信する。ここで、上記履歴情報は、過去に行われた工事の結果としての道路の現在の状態（舗装構成等）に関する情報をいう。この履歴情報には、過去に行われた工事の時期を含む工事情報を含ませてもよい。また、工事情報処理端末１２からの履歴情報の要求は、履歴情報を特定するための位置情報を工事情報管理装置１４に送信することにより行う。この位置情報としては、上記情報保持装置１０の設置位置情報等を使用することができるが、詳細は後述する。また、工事情報管理装置１４には、過去の舗装工事に関する工事情報が記載された紙やＣＤ−ＲＯＭ等の媒体の保管場所に関する保管情報を格納し、工事情報処理端末１２からの要求に応じて上記保管情報を送信する構成とするのが好適である。これにより、従来事務所や自治体により個別に管理されていた過去の舗装工事に関する工事情報が記載された媒体を容易に管理することができる。【００２９】
図２には、工事情報処理端末１２の構成例が示される。図２において、工事情報処理端末１２は、リーダライタ部１６、入力部１８、通信部２０、表示部２２及び制御部２４を含んで構成されている。【００３０】
リーダライタ部１６は、ＩＣタグ等により構成された情報保持装置１０に対して工事情報及び設置位置情報等の書き込み及び読み出しを行う。この場合、リーダライタ部１６は、情報保持装置１０と非接触の短距離無線通信により情報のやり取りを行う。これにより、情報保持装置１０が保持している工事情報を現地で容易に読み出し、及び書き込むことができる。なお、上記設置位置情報は、例えばＧＰＳを使用して確定し、あるいは道路台帳等に基づいて確定することができるが、他の方法により確定してもよい。【００３１】
入力部１８は、キーボード等により構成され、使用者が工事情報処理端末１２に対して指示、情報等を入力するために使用する。また、使用者が道路台帳等から取得した上記設置位置情報を入力することもできる。【００３２】
通信部２０は、適宜な通信インターフェースにより構成され、工事情報管理装置１４との間でデータの授受を行う。この通信部２０により、工事情報処理端末１２は、工事情報を工事情報管理装置１４へ送信する手段、履歴情報を特定するための位置情報を工事情報管理装置１４へ送信する手段、工事情報管理装置１４から履歴情報を受信する手段及び工事情報管理装置１４から過去の前記工事情報が記載された媒体の保管場所に関する保管情報を受信する手段として機能することができる。また、通信部２０は、ＧＰＳ受信機として機能し、上記設置位置情報を取得する構成としてもよい。【００３３】
表示部２２は、液晶ディスプレイ（ＬＣＤ）等で構成され、工事情報及び工事に関する履歴情報、舗装構成情報等を表示する。【００３４】
制御部２４は、中央処理装置（例えばＣＰＵを用いることができる）とＣＰＵの処理動作を制御するプログラムとを含んで構成され、上記各部の動作を制御する。【００３５】
図３には、工事情報管理装置１４等を構成するコンピュータのハードウェア構成の例が示される。図３において、工事情報管理装置１４は、中央処理装置（例えばＣＰＵを用いることができる）２６、ランダムアクセスメモリ（ＲＡＭ）２８、読み出し専用メモリ（ＲＯＭ）３０、通信インターフェース３２及びハードディスク装置（ＨＤＤ）３４を含んで構成されている。また、これらの構成要素は、バス３６により互いに接続されている。【００３６】
ＣＰＵ２６は、ＲＡＭ２８またはＲＯＭ３０に格納されている制御プログラムに基づいて、後述する各部の動作を制御する。ＲＡＭ２８は主としてＣＰＵ２６の作業領域として機能し、ＲＯＭ３０にはＢＩＯＳ等の制御プログラムその他のＣＰＵ２６が使用するデータが格納されている。【００３７】
通信インターフェース３２は、ＵＳＢ（ユニバーサルシリアルバス）ポート、ネットワークポートその他の適宜なインターフェースにより構成され、ＣＰＵ２６がネットワーク等の通信手段を介して外部の装置とデータをやり取りするために使用する。【００３８】
ハードディスク装置３４は記憶装置であり、後述する処理に必要となる種々のデータを記憶することができる。【００３９】
図４には、工事情報管理装置１４の一実施形態の機能ブロック図が示される。図４において、工事情報管理装置１４は、工事情報受付部３８、舗装構成解析部４０、履歴情報取得部４２、履歴情報更新部４４、位置情報受付部４６、履歴情報送信部４８及び保管情報取得部５０を含んで構成されており、これらの機能はＣＰＵ２６とＣＰＵ２６の処理動作を制御するプログラムとにより実現される。【００４０】
工事情報受付部３８は、工事情報処理端末１２から送信された工事情報を通信インターフェース３２を介して受け付ける。ここで、工事情報には、工事日時（工期）、路線名、道路工事区間の始点及び終点の位置、工事内容並びに現地に設置された情報保持装置１０の識別番号等が含まれる。【００４１】
舗装構成解析部４０は、工事情報受付部３８が受け付けた工事情報に基づいて工事が行われた区間の舗装構成を解析する。ここで、舗装構成とは、舗装された道路等を構成する路面下の各階層、例えば表層、基層、上層路盤、下層路盤、遮断層等の構成（材料、厚さ、等）に関する情報をいう。【００４２】
履歴情報取得部４２は、ハードディスク装置３４等に格納されている、工事対象の道路についての工事の履歴情報を取得する。なお、履歴情報は、工事情報管理装置１４が設けられたコンピュータとは別の場所に格納されていてもよい。この場合には、履歴情報取得部４２は、通信インターフェース３２を介して当該格納場所から履歴情報を取得する構成とする。【００４３】
履歴情報更新部４４は、舗装構成解析部４０の解析結果に基づいて上記履歴情報を重畳的に更新する。ここで、重畳的とは、前回までの工事に関する工事情報に対して、新たに行われた工事に関する工事情報を上書きすることをいう。すなわち、前回までの履歴情報のうち、新たに行われた工事と重なる区間については、新たに行われた工事に関する工事情報に置き換える処理を行う。これにより、工事後の道路の舗装構成等の状態を履歴情報に反映させることができる。【００４４】
位置情報受付部４６は、工事情報処理端末１２から送信された、履歴情報を特定するための位置情報（経度・緯度情報や距離標など）を、通信インターフェース３２を介して受け付ける。受け付けた位置情報は、履歴情報送信部４８及び保管情報取得部５０に渡す。【００４５】
履歴情報送信部４８は、上記位置情報を受け取ると、この位置情報により特定された履歴情報を取得し、通信インターフェース３２を介して工事情報処理端末１２に送信する。履歴情報の特定方法については後述する。【００４６】
保管情報取得部５０は、上記位置情報を受け取ると、位置情報により特定した工事区間における過去の工事情報が記載された媒体の保管場所に関する保管情報を取得し、通信インターフェース３２を介して工事情報処理端末１２に送信する。この保管情報は、ハードディスク装置３４に格納しておいてもよいし、工事情報管理装置１４が設けられたコンピュータとは別の場所に格納しておいてもよい。【００４７】
図５には、工事情報の例が示される。図５において、工事情報には、工事対象の路線、工事の始点、終点、件名、工期、工法、施工業者及び舗装構成が含まれている。また、舗装構成は、車道部分と橋の部分とがあり、表層と基層は両者に共通の舗装構成となっている。また、上層路盤、下層路盤及び遮断層の各構成は車道のみの舗装構成となっている。なお、工事情報は、図５の例に限定されるものではない。【００４８】
図６には、本実施形態にかかる工事情報管理システムの動作例のフローが示される。また、図７（ａ），（ｂ）には、履歴情報の一部を使用した履歴情報の更新処理の説明図が示される。また、図８には、重畳的に工事が行われた場合の工事区間の説明図が示される。【００４９】
図７（ａ），（ｂ）では、距離標により表示される工事対象の道路の区間毎に、舗装構成としての表層、基層、上層路盤、下層路盤及び遮断層の５層について工事を行った日付が記載されている。この日付は、図５に示された工事情報と関連づけられており、例えば工事情報処理端末１２の画面上に一覧表示された日付の表示をクリックすると、工事情報が表示されるように構成するのが好適である。【００５０】
また、図８では、区間Ａ−Ａ及び区間Ｂ−Ｂにおいて既に工事が行われている状態から、さらに区間Ｃ−Ｃの工事が行われた場合を表している。本実施形態では、この図８に示された状態に基づいて履歴情報の更新処理を説明する。なお、図７（ａ）では、図８に示された区間Ａ−Ａ及び区間Ｂ−Ｂの工事が反映されている。すなわち、区間Ａ−Ａが距離標の０〜５００ｍの区間であり、区間Ｂ−Ｂが距離標の４００〜１０００ｍの区間である。区間Ａ−Ａでは、５層全ての工事が行われ、区間Ｂ−Ｂでは表層及び基層の工事が行われ、その部分の舗装構成が区間Ａ−Ａとは異なっていることが示されている。また、図７（ｂ）では、図８に示された区間Ｃ−Ｃが図７（ａ）の状態に重畳されている。すなわち、区間Ｃ−Ｃが距離標の２００〜６００ｍの区間であり、５層全ての工事が行われて、その部分の舗装構成が上書きされている。この結果、区間Ｃ−Ｃの舗装構成が区間Ａ−Ａ及び区間Ｂ−Ｂとは異なっていることが示されている。このように、履歴情報には、工事によって舗装構成が不連続となっている地点または区間に関する情報が含まれている。【００５１】
図６において、工事（以後、当該工事という）終了後、使用者が工事情報処理端末１２において当該工事の工事情報を作成する（Ｓ１０１）。工事情報は図５に例示された内容を有するが、工事情報の作成は、工事情報処理端末１２の表示部２２に表示される適宜なユーザインターフェースを使用し、入力部１８から所定の情報を入力することにより行うことができる。作成した工事情報は、工事情報処理端末１２のリーダライタ部１６により、当該工事の始点及び終点等に設置された情報保持装置１０に書き込まれる（Ｓ１０２）。【００５２】
また、上記工事情報は、工事情報処理端末１２の通信部２０により、工事情報管理装置１４に送信される（Ｓ１０３）。この工事情報は、工事情報管理装置１４の工事情報受付部３８が受け付ける（Ｓ１０４）。【００５３】
次に、舗装構成解析部４０は、工事情報受付部３８が受け付けた工事情報に基づいて舗装構成を解析する（Ｓ１０５）。また、履歴情報取得部４２は、ハードディスク装置３４その他の場所に格納されている、工事対象の道路についての工事の履歴情報を取得する（Ｓ１０６）。この履歴情報には、図７（ａ）に示されるように、過去に行われた工事の結果である工事区間毎の舗装構成が記載されているので、舗装構成解析部４０が解析した当該工事の工事情報に基づいて履歴情報更新部４４が履歴情報を重畳的に更新する（Ｓ１０７）。ここで、「重畳的に更新する」とは、当該工事に該当する区間の履歴情報を、当該工事の工事情報で上書きすることをいう。【００５４】
本例において履歴情報取得部４２が取得した履歴情報によれば、図７（ａ）及び図８に示されるように、当該工事前（２００８年１月時点）に区間Ａ−Ａ及び区間Ｂ−Ｂの工事が行われていた。次に、当該工事が区間Ｃ−Ｃで行われ、この工事に関する工事情報が工事情報処理端末１２により作成されている。舗装構成解析部４０が解析した結果、当該工事は、表層、基層、上層路盤、下層路盤及び遮断層の５層について行われていることがわかったので、履歴情報更新部４４は、図７（ｂ）に示されるように、区間Ｃ−Ｃ（距離標の２００〜６００ｍの区間）の履歴情報に、当該工事の工事情報を上書きする。このように、履歴情報更新部４４は、工事によって舗装構成が不連続となっている地点または区間に関する情報を履歴情報を元に更新する処理を行う。【００５５】
次に、道路上の所望の位置における工事の履歴情報を参照する処理について説明する。【００５６】
図９には、本実施形態にかかる工事情報管理システムの他の動作例のフローが示される。図９では、工事情報処理端末１２により上記工事の履歴情報を参照する処理となっている。【００５７】
図９において、工事情報処理端末１２から、参照を希望する道路上の地点に関する位置情報を取得し、これを工事情報管理装置１４へ要求信号として送信する（Ｓ２０１）。位置情報は、たとえばＧＰＳを用いて直接測位したり、あるいは携帯電話基地局の位置により推定する。または、設置位置情報を記憶した情報保持装置１０からこれを読み出す構成としてもよい。更に、入力部１８から住所や距離標といった位置情報を直接入力してもよい。【００５８】
工事情報管理装置１４の位置情報受付部４６は、上記要求信号を受け付け、履歴情報送信部４８に渡す。履歴情報送信部４８では、要求信号に含まれる位置情報により、どの位置の履歴情報が要求されたのかを特定する。この履歴情報の特定は、例えば図７（ａ），（ｂ）に示された例において、上記位置情報を距離標として用いることにより道路上の地点を特定し、この地点における舗装構成すなわち履歴情報を取得する。このとき、上記位置情報と距離標の数値とを対応付けるテーブルを予め作成し、このテーブルに基づいて特定してもよい。また、図７（ａ），（ｂ）に示された日付と位置情報とを対応付けるテーブルを使用してもよい。履歴情報送信部４８は、上記特定した履歴情報を、ハードディスク装置３４等の格納場所から取得し、通信インターフェース３２を介して工事情報処理端末１２に送信する（Ｓ２０２）。【００５９】
工事情報処理端末１２では、更新後の履歴情報を受信し（Ｓ２０３）、表示部２２がこの履歴情報を画面に表示する（Ｓ２０４）。
【図１】
2010007779.tif 000003
【図２】
2010007779.tif 000004
【図３】
2010007779.tif 000005
【図４】
2010007779.tif 000006
【図５】
2010007779.tif 000007
【図６】
2010007779.tif 000008
【図７】
2010007779.tif 000009
【図８】
2010007779.tif 000010
【図９】
2010007779.tif 000011
【国際調査報告】
2010007779.tif 000012
2010007779.tif 000013
2010007779.tif 000014
2010007779.tif 000015